(57)【要約】【課題】本発明の目的は、化学物質不耐症や電磁波過敏症を引き起こしている原因を正確に把握するとともに、化学物質不耐症や電磁波過敏症の患者に対して効果的な治療を行うことが可能な、化学物質不耐症及び互いに合併しやすい電磁波過敏症等の診療治療施設を提供する。【解決手段】診療治療施設１は、外部に行き来可能な公衆区域３０と、この公衆区域３０よりも化学物質が総量的に清浄度の高い準清浄区域２０と、この準清浄区域２０よりも清浄度の高い清浄区域１０とを備え、公衆区域３０から清浄区域１０と準清浄区域２０に行き来が可能であり、清浄区域１０と準清浄区域２０は行き来が不可能な構造である。【選択図】        図１
2004154324.tif 000002
【特許請求の範囲】
【請求項１】
化学物質不耐症及び互いに合併しやすい電磁波過敏症等の診療治療施設であって、
外部に行き来可能な公衆区域と、該公衆区域よりも化学物質が総量的に清浄度の高い準清浄区域と、該準清浄区域よりも清浄度の高い清浄区域とを備え、
前記公衆区域から前記清浄区域と準清浄区域に行き来が可能であり、前記清浄区域と前記準清浄区域は行き来が不可能な構造であることを特徴とする化学物質不耐症及び互いに合併しやすい電磁波過敏症の診療治療施設。
【請求項２】
前記公衆区域と、前記清浄区域又は準清浄区域との間にはエアチャンバーが設けられたことを特徴とする請求項１記載の化学物質不耐症及び互いに合併しやすい電磁波過敏症の診療治療施設。
【請求項３】
前記清浄区域又は準清浄区域は、前記公衆区域に対して陽圧に保持されたことを特徴とする請求項１記載の化学物質不耐症及び互いに合併しやすい電磁波過敏症の診療治療施設。
【請求項４】
前記公衆区域には風除室、ロビー、待合室、事務室、更衣室、トイレの少なくとも一つが設けられたことを特徴とする請求項１記載の化学物質不耐症及び互いに合併しやすい電磁波過敏症の診療治療施設。
【請求項５】
前記公衆区域には風除室、ロビー、待合室、事務室、更衣室、トイレの少なくとも一つが設けられ、前記公衆区域の待合室から前記清浄区域又は前記準清浄区域に行き来可能であることを特徴とする請求項１記載の化学物質不耐症及び互いに合併しやすい電磁波過敏症の診療治療施設。
【請求項６】
前記清浄区域には中待合室、診察室、検査室、栄養指導室、臨床薬理室、歯科治療室、歯科衛生士室、歯科材料室、歯科治療材室の少なくとも一つが設けられたことを特徴とする請求項１記載の化学物質不耐症及び互いに合併しやすい電磁波過敏症の診療治療施設。
【請求項７】
前記検査室には、化学物質が暴露される化学物質チャレンジブース、注射，舌下投与によるチャレンジが行われるスペース、電磁波が発生される電磁波チャレンジブース、負荷検査室、点滴，投薬，酸素吸入を含む治療が行われる治療室の少なくとも一つが設けられたことを特徴とする請求項６記載の化学物質不耐症及び互いに合併しやすい電磁波過敏症の診療治療施設。
【請求項８】
前記準清浄区域にはマッサージ室、運動室、サウナ室、浴室の少なくとも一つが設けられたことを特徴とする請求項１記載の化学物質不耐症及び互いに合併しやすい電磁波過敏症の診療治療施設。
【請求項９】
前記清浄区域又は準清浄区域には専用トイレ又は収納部が設けられたことを特徴とする請求項１記載の化学物質不耐症及び互いに合併しやすい電磁波過敏症の診療治療施設。
【請求項１０】
前記公衆区域、清浄区域、準清浄区域、又は前記各区域に含まれる各部屋はそれぞれユニットからなり、該ユニットを組み合わせて構成したことを特徴とする請求項１記載の化学物質不耐症及び互いに合併しやすい電磁波過敏症の診療治療施設。
【請求項１１】
前記公衆区域と、前記清浄区域又は準清浄区域との間にはエアチャンバユニットが設けられたことを特徴とする請求項１０記載の化学物質不耐症及び互いに合併しやすい電磁波過敏症の診療治療施設。
【発明の詳細な説明】
【０００１】
【発明の属する技術分野】
本発明は診療治療施設に関し、特に化学物質不耐症や電磁波過敏症の診療治療を行うための診療治療施設に関するものである。
【０００２】
【従来の技術】
近年、建物や身の回りの生活用品から発生する化学物質により体調を崩す化学物質不耐症（ＣＩ；Ｃｈｅｍｉｃａｌ  Ｉｎｔｏｌｅｒａｎｃｅ）や、電気機器から発生する電磁波によって頭痛やめまいが引き起こされる電磁波過敏症に悩む人が増加している。
【０００３】
化学物質不耐症は、大量の化学物質に曝されたり、化学物質に繰り返し接することにより、揮発性有機化合物（ＶＯＣ；Ｖｏｌａｔｉｌｅ  Ｏｒｇａｎｉｃ  Ｃｏｍｐｏｕｎｄｓ／ホルムアルデヒド、農薬など職場及び家庭等で接触する化学物質）に微量でも、接触により体が過敏になり不快な症状が出現する疾患である。また、電磁波過敏症は、主に低周波領域の電磁波に曝された人が、過敏になる症状である。
【０００４】
上記化学物質としては、例えば建材や塗料に含まれるホルムアルデヒドや、芳香剤に含まれるパラジクロロベンゼン等が知られている。化学物質不耐症は、ごく微量の化学物質に対して反応し、また特定の化学物質だけでなく、複数の化学物質に対しても反応する場合がある。このため、患者がどの化学物質に反応しているのかを正確に診断し、適切な治療を行うことが必要である。化学物質を特定し、快適な治療を受けるためには、空気中の化学物質の濃度を極力低く抑えた特別な診療治療施設が必要である。
【０００５】
従来の診療治療施設において、治療室内の空気が清浄に保たれた構成としては、例えば外部と治療室との間に前室を設けるとともに、治療室内の圧力を調整して治療室内の清浄状態を確保した構成のものが知られている（例えば、特許文献１参照）。
【０００６】
【特許文献１】
特開平７−２５０８７０号公報（第２頁、図１）
【０００７】
【発明が解決しようとする課題】
特許文献１に示される技術は、例えば感染症患者等、抵抗力のない患者について無菌状態で治療することが可能である。しかし、化学物質不耐症や電磁波過敏症の患者の場合は、感染症患者等とは異なり、点滴や投薬等による治療を受けるだけでなく、気分を沈静化させるマッサージを受けてリラックスしたり、運動による発汗で体内に蓄積された化学物質を排出したり、運動を行って自律神経のバランスを調整したり、サウナによる温熱療法を受けることにより、さらに高い治療効果を得ることができるものである。現状では、このように総合的な化学物質不耐症や電磁波過敏症を診療治療するための施設については、未だ整備されていない。
【０００８】
本発明の目的は、化学物質不耐症や電磁波過敏症を引き起こしている原因を正確に把握するとともに、化学物質不耐症や電磁波過敏症の患者に対して効果的な治療を行うことが可能な、化学物質不耐症及び互いに合併しやすい電磁波過敏症等の診療治療施設を提供することにある。
【０００９】
【課題を解決するための手段】
本発明の請求項１に係る化学物質不耐症及び互いに合併しやすい電磁波過敏症等の診療治療施設は、外部に行き来可能な公衆区域と、該公衆区域よりも化学物質が総量的に清浄度の高い準清浄区域と、該準清浄区域よりも清浄度の高い清浄区域とを備え、前記公衆区域から前記清浄区域と準清浄区域に行き来が可能であり、前記清浄区域と前記準清浄区域は行き来が不可能な構造であることを特徴とする。
【００１０】
このように、本発明に係る化学物質不耐症及び互いに合併しやすい電磁波過敏症等の診療治療施設は、外部に通じている公衆区域を備え、この公衆区域から、主に原因の判定，診断，治療が行われる清浄区域と、主にマッサージや運動が行われる準清浄区域に直接行き来することができる。したがって、患者は症状に応じて最適な診療治療を迅速に受けることが可能となる。
【００１１】
また、本発明に係る診療治療施設では、化学物質不耐症及び互いに合併しやすい電磁波過敏症等の治療として、点滴や投薬等による治療だけでなく、マッサージ、運動、サウナによる療法が取り入れられており、このため、症状をより効果的に改善させることが可能である。
【００１２】
また、前記公衆区域と、前記清浄区域又は準清浄区域との間にはエアチャンバーが設けられているので、清浄区域や準清浄区域に入る前に、人や衣服に付着した汚染物質を除去することができ、清浄状態を保つことが可能である。
【００１３】
さらに、前記清浄区域又は準清浄区域について、前記公衆区域に対して陽圧に保持されるようにすると、清浄区域又は準清浄区域への汚染空気の侵入を確実に防止することができ好適である。
【００１４】
本発明の診療治療施設についてより具体的に述べると、前記公衆区域には風除室、ロビー、待合室、事務室、更衣室、トイレの少なくとも一つが設けられた構成とされている。そして、前記公衆区域の待合室から前記清浄区域又は前記準清浄区域に行き来可能とされている。
【００１５】
また、前記清浄区域には中待合室、診察室、検査室、栄養指導室、臨床薬理室、歯科治療室、歯科衛生士室、歯科材料室、歯科治療材室の少なくとも一つが設けられている。このように、診療治療施設のなかに、栄養、薬剤、歯科材料の適合性等を調査できる施設をおくことにより、さらに効果的で適切な治療を行うことが可能となる。
【００１６】
前記検査室には、化学物質が暴露される化学物質チャレンジブース、注射，舌下投与によるチャレンジが行われるスペース、電磁波が発生される電磁波チャレンジブース、負荷検査室、点滴，投薬，酸素吸入を含む治療が行われる治療室の少なくとも一つが設けられている。さらに、前記準清浄区域にはマッサージ室、運動室、サウナ室、浴室の少なくとも一つが設けられている。
【００１７】
また、前記清浄区域又は準清浄区域に、専用トイレ又は収納部を設けた構成とすることにより、清浄区域又は準清浄区域と、他区域との間で、患者や医療スタッフの出入り回数を減らし、清浄度を確保することが可能となる。
【００１８】
なお、前記公衆区域、清浄区域、準清浄区域、又は前記各区域に含まれる各部屋をそれぞれユニットとし、該ユニットを組み合わせて診療治療施設を構成しても良い。診療治療施設の各区域や部屋をユニット化することにより、診療治療施設を簡単に設置することができ、また各区域の配置を自由に変更することが可能となる。また、土地の形状に制限されることなく診療治療施設を設置することができる。ユニット化する場合、前記公衆区域と、前記清浄区域又は準清浄区域との間にエアチャンバユニットを設け、前記清浄区域又は準清浄区域の清浄を保つようにすると良い。
【００１９】
【発明の実施の形態】
以下、本発明の一実施の形態を図面に基づいて説明する。なお、以下に説明する部材，配置等は本発明を限定するものでなく、本発明の趣旨の範囲内で種々改変することができるものである。
【００２０】
図１は本発明に係る診療治療施設１の一実施例の平面図を示すものである。
まず、診療治療施設１の概略について説明する。診療治療施設１では、化学物質不耐症や電磁波過敏症等についての診療治療が行われる。診療治療施設１は、清浄区域１０と、準清浄区域２０と、公衆区域３０とを備えて構成されている。図中では、清浄区域１０は鎖線で囲まれた領域、準清浄区域２０は一点鎖線で囲まれた領域、公衆区域３０は二点鎖線で囲まれた領域として示されている。また、符号４０はエアチャンバであり、図中実線で示されている符号５０は出入口である。
【００２１】
化学物質不耐症や電磁波過敏症は、ごく微量の化学物質や電磁波であっても反応するため、正確な判断や効果的な治療を行うために、診療治療施設１内では空気中の化学物質濃度や電磁波が十分に低く抑えられていることが望ましい。
【００２２】
このため、診療治療施設１は、大気の汚染度が少なく、また住宅や人口が密集していない場所や、交通量の少ない場所に建てられていると好適である。すなわち、大都市よりは小都市が好ましく、小都市よりは山や森の中，農村地帯のほうが好ましい。また、郊外であるほど建設費や維持管理費が低コストとなるので好適である。
【００２３】
診療治療施設１には、換気や室内の圧力調整のために外気が給気されている。外気の汚染度が低い場合には、フィルタを介さずに外気を供給することができる。なお、外気の汚染度が高い場合には、空気中の化学物質、埃、カビ、花粉などを除去するために、空気清浄機を介して導入される。空気清浄機にはフィルタが設けられるが、空気中に含まれているごく細かな化学物質等も除去できるように、例えばＨＥＰＡフィルタが用いられると好適である。
【００２４】
診療治療施設１の各部屋は、揮発性有機化合物の発生が少ない材料を主体として形成されている。材料としては、例えば、無機金属、天然木材、セラミック、ガラス等の化学物質を放散しにくい材料が使用される。或いは、これらの素材で表面をコーティングした構成とされる。なお従来より、部屋を清浄に保つために壁や天井をアルミ材で被覆する構成も知られているが、外観上好ましくないため積極的には採用しない。
【００２５】
具体的には、無機系の材料から部屋を形成する場合は、天面や壁面には琺瑯鋼板が用いられ、床面には石材やセラミック板が用いられる。有機系の材料から部屋を形成する場合は、天面や壁面は珪藻土やコルク板または木材で被覆され、床面には木材板が用いられる。なお、上記無機系材料と有機系材料の両方を組み合わせても良い。部屋の内部は落ち着いた色彩とし、且つ圧迫感のない雰囲気にされる。
【００２６】
上記各材料を組み付けるときには、材料の接続端面に互いに嵌合可能な凹凸を形成し、この凹凸を嵌合させるようにすると良い。これにより、材料が互いに隙間無く接合され、外気の侵入が防止される。なお、上記各材料を組み付けるときに接続部材が必要である場合は、木製、セラミック製、無機系金属製の釘や接続具が使用される。
【００２７】
各部屋に家具を設置する場合も、揮発性有機化学物発生の少ない材料から形成されたものを使用する。例えば、木製家具を設置する場合には、組立後に表面に安全塗料が塗布され、３ヶ月程度放置してガス抜きをしてから使用される。木製家具を使用する場合には時間を要するため、診療治療施設１の建築着工と同時に着手すると良い。
【００２８】
安全塗料としては、揮発性有機化合物の放散が抑制されているものが使用される。なお、床面や家具を木材から形成するときは、むく材であっても高い安定性を有する広葉樹の木材を使用すると好適である。
【００２９】
診療治療施設１内には、電気機器として、例えばパソコン、テレビ、ビデオ、冷蔵庫が置かれている。これら電気機器からは電磁波過敏症の原因となる電磁波が発生し、筐体からは化学物質不耐症の原因となる揮発性有機化合物が発生する。このため、電気機器には電磁波を遮蔽可能なカバーを掛けて、電磁波の発生を防止する。また、このカバーに排気ダクトを設置して、筐体から発生された揮発性有機化合物が外部へ排気されるようにする。
【００３０】
さらに、本や資料等の印刷物からも揮発性有機化合物が発生するため、専用容器に入れて閲覧される。専用容器には排気ダクトが設けられており、容器内の空気は外部へ排気される。
【００３１】
診療治療施設１には、図示しない機械室が設けられている。機械室には空調機が設置され、空調機から送られる清浄空気により、診療治療施設１内部の清浄度が維持されている。空調機は、診療治療施設１内に空気を供給し、診療治療施設１内の空気を清浄に保つとともに、診療治療施設１内の温度、湿度、室内圧力を調整する。機械室は診療治療施設１の外部にあり、空調機の他には、診療治療施設１内に清浄な水を供給する給水設備等が設けられている。
【００３２】
次に、診療治療施設１を構成する清浄区域１０、準清浄区域２０、公衆区域３０の主な機能と、配置について説明する。
清浄区域１０では、診察室１２、検査室１３において、診察及び治療が行われる。清浄区域１０は、反応を引き起こす化学物質の特定がなされる場所であるため、診療治療施設１の中で最も清浄な場所となっており、具体的には揮発性有機化合物総量がおおむね２５〜５０μｇ／ｍ３の範囲内になるように管理されている。清浄区域１０の清浄度を保つため、清浄区域１０は陽圧に保たれている。清浄区域１０が陽圧に保たれることにより、区域外からの汚染空気の侵入が防止される。
【００３３】
また、清浄区域１０には、前室としてエアチャンバ４０が設けられている。エアチャンバ４０は公衆区域３０側と清浄区域１０側にそれぞれ出入口５０を備えているが、それぞれの出入口５０が別々に開閉することで、公衆区域３０やエアチャンバ４０内の空気が、清浄区域１０側へ流れないようにされている。
【００３４】
エアチャンバ４０には、外部からの空気がフィルターを介して供給され、清浄空気が吹き付けられ、人体や衣服に付着している塵埃や菌が吹き落とされる。埃等を吹き落とした後、空気は下部吸引口に速やかに回収される。
【００３５】
準清浄区域２０では、マッサージ室２１において患者の気分を沈静化させるためのマッサージが施されたり、運動室２２で適度な運動をすることができるように構成されている。
【００３６】
準清浄区域２０は、清浄区域１０ほど厳重ではないが、化学物質不耐症や電磁波過敏症が発症しないように内部の清浄が確保されている。準清浄区域２０での揮発性有機化合物総量は、おおむね５０〜１００μｇ／ｍ３の範囲内になるように管理されている。なお、準清浄区域２０の清浄度をより確実に保つために、準清浄区域２０にも前室としてエアチャンバ４０を設けても良い。
【００３７】
公衆区域３０は、外部から患者の受け入れを行う場所であり、ロビー３２や待合室３３が設けられている。公衆領域３０は外部に通じているため、清浄区域１０や準清浄区域２０に比して清浄度は低いものとなっているが、化学物質不耐症や電磁波過敏症の患者が待機する場所であり、症状が出ないレベルの清浄度は保たれている。公衆区域３０での揮発性有機化合物総量は、おおむね１５０〜２００μｇ／ｍ３程度とされる。
【００３８】
本例の診療治療施設１では、清浄区域１０と、準清浄区域２０とが、それぞれ公衆区域３０に隣接して配置されている。清浄区域１０と準清浄区域２０とは、それぞれ公衆区域３０との間で行き来可能である。なお、清浄区域１０と準清浄区域２０との間では行き来できないように構成されている。
【００３９】
上記のように、本例の診療治療施設１では、清浄区域１０と準清浄区域２０とが、それぞれ公衆区域３０から行き来可能とされているので、患者は症状に応じて、清浄区域１０と準清浄区域２０のいずれかに直接行くことができ、迅速に必要な処置を受けることができる。
【００４０】
また、清浄区域１０と準清浄区域２０とは行き来できないようになっているので、清浄区域１０の高い清浄度を保つことができる。また、症状の異なる患者がそれぞれ別の区域に集められているので治療がスムーズに行われる。
【００４１】
次に、本例の診療治療施設１の清浄区域１０、準清浄区域２０、公衆区域３０内部の具体的構成について詳細に説明する。
清浄区域１０には、中待合室１１、診察室１２、検査室１３、専用トイレ１４、物入れ１５が設けられている。診察室１２、検査室１３、専用トイレ１４には、中待合室１１に連通する中廊下１９から出入りする。
【００４２】
中待合室１１は、清浄区域１０に設けられているため、公衆区域３０の待合室３３よりも高い清浄度が保たれている。このため、重い症状を有し、より清浄な空間が必要とされている患者の待合室として使用される。
【００４３】
診察室１２では、医師による問診や診察が行われる。検査室１３は、チャレンジブース１３ａ、治療室１３ｂ、電磁波シールド室１３ｃを備えており、検査及び治療が行われる。
【００４４】
チャレンジブース１３ａは、化学物質不耐症と診断された患者について、どの化学物質に反応しているのかを判定するための部屋である。チャレンジブース１３ａでは、患者が入室した後、ごく微量の化学物質を含有させた空気が部屋内に導入され、化学物質の特定がなされる。
【００４５】
チャレンジブース１３ａの使用後は、オゾン燻蒸がなされて室内の化学物質が除去され、その後、屋外へ強制排気される。このとき、排気ファンはオゾン燻蒸と連動させるようにすると良い。排気ファンは、オゾン燻蒸後、自動的にスイッチが投入され、タイマーで停止されるようにする。
【００４６】
治療室１３ｂでは、点滴やサプリメント投与による解毒治療や、酸素吸入などが行われる。点滴やサプリメントにより、例えば、ビタミンＣ、ビタミンＢ、グルタチオン、マンガン、亜鉛、セレンが投与される。点滴やサプリメント投与は、患者の症状にもよるが、必要に応じて数日間連続して行われる。また、呼吸をスムーズに行えない患者のために酸素吸入が行われる。酸素吸入量は、患者の症状や体型に応じて異なるが、例えば、毎分１．５リットルの量で９０分間行われる。治療室１３ｂは常に看護師の目の届くところで厳重に管理される。
【００４７】
電磁波シールド室１３ｃは、電磁波のチャレンジブースであり、電磁波過敏症と診断された患者について、どのような電磁波に反応しているのかが判定される。電磁波シールド室１３ｃは、壁が金属のシールドで覆われ、外界からの電磁波の影響を受けないようになっている。そして患者が入室した後で電磁波が部屋内に導入され、患者に影響を及ぼす電磁波の種類や強さが特定される。
【００４８】
なお、検査としては、そのほかに、皮内注射テスト、舌下投与テスト、負荷検査、スパイロメーターによる呼吸機能検査、ロンベルグによるふらつき検査、ＭＣＶ（赤血球の平均容積）検査、潜血により出血傾向を調べるための検尿、免疫リンパ球検査、甲状腺ホルモン検査、思いこみによる効果（プラセボ効果）を排除して検査を行う二重盲検法によるチャレンジテスト、有益又は有害な微量金属を分析するための毛髪分析、呼気の分析、汗の分析、視覚系や眼球運動系などの機能を詳細に調べる神経眼科学的検査、脳血流計による検査等があり、様々な観点から診断が行われる。上記のような多様な検査に対応するため、本例の診療治療施設１には複数の検査室１３が設けられている。
【００４９】
清浄区域１０には専用トイレ１４が設けられている。専用トイレ１４を設けた構成とすることにより、清浄区域１０と他区域との間での患者の出入り回数を減らし、清浄区域１０の清浄度を確保することが可能となる。
【００５０】
また、物入れ１５についても専用のものを設置し、検査用具などを収納しておくことにより、清浄区域と他区域との間での医療スタッフの出入り回数を減らし、清浄区域１０の清浄度を確保することが可能となる。チャレンジブース１３ａを備えた検査室１３は、特に高い清浄度が要されるため、室内で使用可能な物入れ１５が設けられている。
【００５１】
さらに、清浄区域１０には、栄養指導室１６、臨床薬理室１７、歯科診察治療室が設けられているとより好ましい。歯科診察治療室としては、歯科治療室及び歯科衛生士室１８ａ、歯科材料室及び歯科治療材室１８ｂが設けられる。
【００５２】
栄養指導室１６では栄養士により、患者に対して食べ物アレルギー及び栄養的バランスに関する指導が、毛髪分析等の検査結果に基づいて行われる。臨床薬理室１７には薬剤師が在室し、臨床試験等が行われる。
【００５３】
また、歯科治療室及び歯科衛生士室１８ａには、歯科医師及び歯科衛生士が在室し、歯科治療、指導、各患者について有害金属による症状の予防及び処置などが行われる。ここでは、患者に不快な症状が出現しないように、歯科材料や治療剤が選択して使用される。歯科治療室及び歯科衛生士室１８ａには、歯科材料室及び歯科治療材室１８ｂが隣接しており、診察治療に必要な材料を、他の区域へ行き来することなく入手することが可能である。
【００５４】
次に、準清浄区域２０の具体的構成について詳細に説明する。準清浄区域２０には、マッサージ室２１、運動室２２、サウナ室２３、浴室としてのシャワー室２４、専用トイレ２５、物入れ２６が設けられている。マッサージ室２１、運動室２２、専用トイレ２５には、中廊下２７から出入りする。
【００５５】
マッサージ室２１では、患者の気分を沈静化させるためのマッサージが施される。マッサージ室２１はより高い沈静効果が得られるように、照明が薄暗くされている。
【００５６】
運動室２２では、エルゴメーターによる自転車こぎや、トレッドミルによる歩行運動など、適度な運動を行うことができる。なお、エルゴメーターの負荷の調整は、歯車式では電磁波が誘導されるおそれがあるため、ベルトの張力で負荷を調整する方式とする。
【００５７】
サウナ室２３では、低温サウナにより患者の体が温められる。サウナ室２３は温度管理や時間管理を厳重に行うため、常に看護師の管理下に置かれる。サウナ室２３使用後は、オゾン燻蒸がなされ、その後、屋外へ強制排気される。
【００５８】
運動室２２による運動と、サウナ室２３による温熱療法により、体にたまった化学物質が排出され、治療に効果が得られる。また、運動をした後やサウナに入った後は、シャワー室２４にて体を洗浄しリフレッシュすることができる。また、清浄な水を摂取することも治療に効果的であるため、水飲み場を設けても良い。
【００５９】
準清浄区域２０には、清浄区域１０と同様に、専用トイレ２５が設けられている。専用トイレ２５を設けた構成とすることにより、準清浄区域２０と他区域との間での患者の出入り回数を減らし、準清浄区域２０の清浄度を確保することが可能となる。また、物入れ２６についても、マッサージ室２１と運動室２２にそれぞれ専用のものが設置されており、備品や検査用具が収納される。
【００６０】
公衆区域３０には、風除室３１、ロビー３２、待合室３３、事務室及び受付３４、更衣室３５、トイレ３６が設けられている。風除室３１により、診療治療施設１内への外気の侵入が防止される。また、遮音効果により診療治療施設１内の静寂が保たれる。さらに、断熱効果により診療治療施設１内の快適な温度が保たれる。
【００６１】
ロビー３２は患者が最初に入る場所であり、ここで受付が行われる。受付業務は、事務室及び受付３４にいるスタッフによりなされる。スタッフは、事務室及び受付３４に入室する前に、更衣室３５で化学物質の発生しない清潔な衣服へ着替えを行う。
【００６２】
待合室３３はロビー３２とは区切られて設けられており、ロビー３２よりも外界から遮られたスペースとなっている。患者は待合室３３から清浄区域１０又は準清浄区域２０へ入る。本例の場合、清浄区域１０に入る場合は、待合室３３から先ずエアチャンバ４０を通過し、次いで清浄区域１０の中待合室１１に入り、その後中廊下１９を通って診察室１２や検査室１３に入室する。準清浄区域２０に入る場合は、待合室３３から先ず準清浄区域２０の中廊下２７に入り、次いでマッサージ室２１や運動室２２に入室する。
【００６３】
以上の診療治療施設１により、化学物質不耐症や電磁波過敏症を引き起こしている原因を正確に把握するとともに、患者に対して効果的な治療を行うことが可能となる。上記実施例において、清浄区域１０、準清浄区域２０、公衆区域３０を構成する各部屋については、図１に示す配置や部屋数に限らず、自由に変更することができるものである。
【００６４】
なお、清浄区域１０、準清浄区域２０、公衆区域３０、エアチャンバ４０、機械室、或いは前記各区域に含まれる各部屋をユニットとし、それぞれを互いに組み合わせる構成としても良い。ユニットは、公衆区域３０から、清浄区域１０と準清浄区域２０に行き来できるように組み付けられる。各ユニット及びその接合部は気密構造とされ、ダクト及びフィルタを介して機械室の空調機と接続される。
【００６５】
診療治療施設１をユニット化することにより、診療治療施設１を短い工期で設置することができ、より多くの患者に対応することが可能となる。また、土地の形状に制限されることなく診療治療施設１を設置することができる。さらにユニットを解体して別の場所に運搬することも可能となる。
【００６６】
図２乃至図５は、診療治療施設１の他の実施例を示すものである。本例において前記実施例と同様部材等には同一符号を付してその説明を省略する。図２乃至図５においては、内部の各部屋については図示を省略している。
【００６７】
前記実施例では、清浄区域１０と準清浄区域２０が、公衆区域３０に対して並列するように配置されている構成を示したが、図２に示す例では、公衆区域３０を挟むようにして、清浄区域１０と準清浄区域２０が対称に配置されている。また、図３に示す例では、清浄区域１０と準清浄区域２０の間に、公衆区域３０から延長する廊下が位置している。図２及び図３のいずれの診療治療施設１も、公衆区域３０から、清浄区域１０または準清浄区域２０に直接行き来可能である。なお、清浄区域１０または準清浄区域２０と公衆区域３０との間には、適宜エアチャンバが設置される。
【００６８】
図４及び図５の例では、清浄区域１０、準清浄区域２０、公衆区域３０が、平面ではなく立体的に配置されている。図４の例では、１階が準清浄区域２０であり、２階が清浄区域１０であり、準清浄区域２０と清浄区域１０に接するように公衆区域３０が設けられている。この場合、公衆区域３０の内部についても、１階と２階に分けた構成としても良い。
【００６９】
図５の診療治療施設１は、１階が準清浄区域２０であり、３階が清浄区域１０であり、準清浄区域２０と清浄区域１０に挟まれるように、２階に公衆区域３０が設けられている。なお、図４及び図５の診療治療施設１について、清浄区域１０を下階とし、準清浄区域２０を上階としても良い。また、地階を利用しても良い。なお、図４及び図５の実施例においても、清浄区域１０または準清浄区域２０の前室としてエアチャンバが適宜設置される。
【００７０】
【発明の効果】
以上のように、本発明の診療治療施設によれば、外部と行き来可能な公衆区域から、主に原因の判定，診断，治療が行われる清浄区域と、主にマッサージや運動が行われる準清浄区域に直接行き来することができるので、各人の症状に応じて、最適な診療治療を迅速に受けることが可能となる。
【００７１】
また、本発明の診療治療施設は、主に原因の判定，診断，治療が行われる清浄区域と、マッサージや運動を行う準清浄区域を備えており、点滴や投薬等による治療に加え、マッサージによる気分の沈静化、運動療法、サウナによる温熱療法、栄養，薬剤，歯科材料の適合性の調査、歯科治療など、総合的な診療治療を行うことができ、化学物質不耐症や電磁波過敏症に効果的な治療が可能となる。
【図面の簡単な説明】
【図１】本発明の診療治療施設の平面図である。
【図２】診療治療施設の他の実施例を示す説明図である。
【図３】診療治療施設の他の実施例を示す説明図である。
【図４】診療治療施設の他の実施例を示す説明図である。
【図５】診療治療施設の他の実施例を示す説明図である。
【符号の説明】
１  診療治療施設、  １０  清浄区域、  １１  中待合室、  １２  診察室、１３  検査室、  １３ａ  チャレンジブース、  １３ｂ  治療室、  １３ｃ  電磁波シールド室、  １４  専用トイレ、  １５  物入れ、  １６  栄養指導室、  １７  臨床薬理室、  １８ａ  歯科治療室及び歯科衛生士室、  １８ｂ  歯科材料室及び歯科治療材室、  １９  中廊下、  ２０  準清浄区域、  ２１  マッサージ室、  ２２  運動室、  ２３  サウナ室、  ２４  シャワー室、  ２５専用トイレ、  ２６  物入れ、  ２７  中廊下、  ３０  公衆区域、  ３１  風除室、  ３２  ロビー、  ３３  待合室、  ３４  事務室及び受付、  ３５  更衣室、  ３６  トイレ
【図１】
2004154324.tif 000003
【図２】
2004154324.tif 000004
【図３】
2004154324.tif 000005
【図４】
2004154324.tif 000006
【図５】
2004154324.tif 000007